(57)【要約】【課題】  偽造対象となりやすい紙幣や有価証券、もしくは著作権を有する画像、機密書類等（以下、特定原稿）を複写した際の画像形成装置と複写行為をした人物の特定化を行う。【解決手段】  特定原稿の画像データに、視認性の低い指定色（例えばイエロー）で特定パターンと指紋データを付加すると共に、指紋データと画像データを対応させることで、その出力画像を基に出力画像装置の追求を容易に行い、使用者の指紋を追跡することで、その行為を行った者を特定できる。【選択図】  図８
2007013300.tif 000002
【特許請求の範囲】
【請求項１】
画像データを入力する画像入力手段と
指紋を検出して指紋データを作成する指紋検出作成手段と
前記入力された画像データと前記指紋データを記憶するデータ記憶手段と
少なくとも前記画像データに基づいて画像形成を行う画像形成手段と
特定パターンを発生し前記画像データに付加する特定パターン発生手段と
前記画像データに前記指紋データを付加する指紋データ付加手段と、
前記画像データが特別なデータに応じて、前記特定パターン発生手段と前記指紋データ付加手段と前記データ記憶手段を制御して、前記画像データに前記特定パターンと前記指紋データを付加して出力する制御手段と
を有することを特徴とする画像形成装置。
【請求項２】
前記制御手段は、前記指紋データと前記画像データを対応付けて記憶させ、画像検索モードが選択されると、前記画像データに対応する前記指紋データを検索することを特徴とする請求項１に記載の画像形成装置。
【請求項３】
前記制御手段は、前記画像検索モードが選択されると前記指紋データを可視化で出力すること特徴とする請求項２に記載の画像形成装置。
【請求項４】
前記制御手段は、前記画像データに前記特定パターンと前記指紋データを付加することに応じて、前記特定パターンと前記指紋データを不可視で出力すること特徴とする請求項１記載の画像形成装置。
【請求項５】
前記指紋検出作成手段の指紋検出は、操作部のスタートキーを押下することに応じて指紋を検出することを特徴とする請求項１記載の画像形成装置。
【請求項６】
画像データを入力する画像入力工程と
指紋を検出して指紋データを作成する指紋検出作成工程と
前記入力された画像データと前記指紋データを記憶するデータ記憶工程と
少なくとも前記画像データに基づいて画像形成を行う画像形成工程と
特定パターンを発生し前記画像データに付加する特定パターン発生工程と
前記画像データに前記指紋データを付加する指紋データ付加工程と、
前記画像データが特別なデータに応じて、前記特定パターン発生工程と前記指紋データ付加工程と前記データ記憶工程を制御して、前記画像データに前記特定パターンと前記指紋データを付加して出力する制御工程と
を有することを特徴とする画像形成装置の制御方法。
【請求項７】
前記制御工程において、前記指紋データと前記画像データを対応付けて記憶させ、画像検索モードが選択されると、前記画像データに対応する前記指紋データを検索することを特徴とする請求項１に記載の画像形成装置の制御方法。
【請求項８】
前記制御工程は、前記画像検索モードが選択されると前記指紋データを可視化で出力すること特徴とする請求項２に記載の画像形成装置の制御方法。
【請求項９】
前記制御工程は、前記画像データに前記特定パターンと前記指紋データを付加することに応じて、前記特定パターンと前記指紋データを不可視で出力すること特徴とする請求項１記載の画像形成装置の制御方法。
【請求項１０】
前記指紋検出作成工程の指紋検出は、操作部のスタートキーを押下することに応じて指紋を検出することを特徴とする請求項１記載の画像形成装置の制御方法。
【発明の詳細な説明】
【技術分野】
【０００１】
本発明は、紙幣や有価証券や著作権情報や機密情報等の特別なデータ（以下、特定原稿と称す。）の複写を行った装置と人物を追跡できる画像形成装置及びその制御方法に関するものである。
【背景技術】
【０００２】
近年の複写機には、非常に高い再現性を有するフルカラー複写機がある。このような複写機では、特定原稿の偽造も不可能ではなく、この場合に不正使用が行われる恐れがある。
【０００３】
これらの問題点の対策として、形成した画像に特定パターンを埋め込む為に追跡コード等を生成し、画像形成時に特定パターンを人間の目で識別しにくい様に付加し、使用した装置の追跡に役立たせている技術がある。（例えば、特許文献１参照）
【特許文献１】特開２００１−３１３８１３
【発明の開示】
【発明が解決しようとする課題】
【０００４】
しかしながら、上記のような技術では、画像形成が禁止されている画像が形成された場合、これらの画像から、特定パターンを解読し、これらの画像を形成した装置までしか特定できず、不正にコピー行為をした人物を特定することが不可能であった。
【課題を解決するための手段】
【０００５】
上記目的を達成するために本発明に係る一実施形態の画像形成装置は、以下の構成を有する。
【０００６】
第１に、画像データを入力する画像入力手段と、指紋を検出して指紋データを作成する指紋検出作成手段と、前記入力された画像データと指紋データを記憶する画像記憶手段と、少なくとも前記画像データに基づいて画像形成を行う画像形成手段と、特定パターンを発生し前記画像データに付加する特定パターン発生手段と、前記画像データに前記指紋データを付加する指紋データ付加手段と、前記画像データが特別なデータに応じて、前記特定パターン発生手段と前記指紋データ付加手段と前記データ記憶手段を制御して、前記画像データに前記特定パターンと前記指紋データを付加して出力する制御手段とを有することを特徴とする。
【０００７】
第２に、前記制御手段は、前記指紋データと前記画像データを対応付けて記憶させ、画像検索モードが選択されると、前記画像データに対応する前記指紋データを検索することを特徴とする。
【０００８】
第３に、前記制御手段は、前記画像検索モードが選択されると前記指紋データを可視化で出力することを特徴とする。
【０００９】
第４に、前記制御手段は、前記画像データに前記特定パターンと前記指紋データを付加することに応じて、前記特定パターンと前記指紋データを不可視で出力すること特徴とする。
【００１０】
第５に、前記指紋検出作成手段の指紋検出は、操作部のスタートキーを押下することに応じて指紋を検出することを特徴とする。
【００１１】
第６に、前述の第１から第５に記載した画像形成装置の制御方法を提供することを特徴とする。
【発明の効果】
【００１２】
本発明によれば、指紋データと特定パターンを画像データに不可視で付加させることで、画像形成した装置を特定化できる。又、画像データと指紋データとを対応させて記憶させることで、不正コピーを行った人物を追跡することができる。又、画像検索モード時には指紋データを可視化出力することで不正コピーを行った人物を容易に追跡することができる。更に、指紋検出部を操作部のスタートキーに設けることで指紋検出を行っているという違和感を感じることなく操作性が向上できる。
【発明を実施するための最良の形態】
【００１３】
（実施形態）
以下、本発明の実施形態に関して図面を参照しながら説明する。
【００１４】
図１は本発明の実施例による画像形成装置（デジタル複写機本体）１０１の構成を示すブロック図である。
【００１５】
図１において、デジタル複写機本体１０１は、操作部１０２、リーダ部１０３、プリンタ部１０４、対応情報データメモリ１０５、ファクシミリ部１０６、コンピュータインタフェース部１０７、画像メモリ１０８、制御部１０９、及びレーザドライバ２２１内に設けられた特定パターン発生回路６０から構成される。
【００１６】
操作部１０２は、デジタル複写機本体１０１を操作するための操作装置となる。リーダ部１０３は、原稿の画像を読み取り、その原稿画像に応じた画像データをプリンタ部１０４へ出力する。プリンタ部１０４は、リーダ部１０３及びファクシミリ部１０６、コンピュータインタフェース部１０７、画像メモリ１０８からの画像データに応じた画像を記録紙上に記録する。これらはすべて、制御部１０９に接続され、制御部１０９により制御される。対応情報データメモリ１０５についての詳細は後述するが、ハードディスク等のメモリである。
【００１７】
ファクシミリ部１０６は、電話回線を介して受信した圧縮画像データを伸長し、伸長された画像データを制御部１０９へ転送し、また制御部１０９から転送された画像データを圧縮し、圧縮された圧縮画像データを電話回線を介して送信する。このファクシミリ部１０６により受信した圧縮画像データは、ハードディスク等の画像メモリ１０８に一時的に保存することができる。
【００１８】
コンピュータインタフェース部１０７は、パーソナルコンピュータまたはワークステーション（以下ＰＣ／ＷＳと記す）と制御部１０９との間のインタフェースであり、ＰＣ／ＷＳから転送された画像を表すコードデータ（ＰＤＬ）をプリンタ部１０４で記録できる画像データに展開して制御部１０９に渡す。
【００１９】
画像メモリ１０８は、リーダ部１０３、ファクシミリ部１０６、コンピュータインタフェース部１０７より入力された画像データを記憶しておくメモリである。制御部１０９は、リーダ部１０３、ファクシミリ部１０６、コンピュータインタフェース部１０７、画像メモリ１０８のそれぞれの間のデータの流れを制御するものである。また、指紋照合装置１を備える。指紋照合装置１についての詳細は後述する。
【００２０】
次に、図２はリーダ部１０３及びプリンタ部１０４からなるデジタル複写機本体１０１の断面図である。
【００２１】
リーダ部１０３の原稿給送装置２０１は、原稿を最終順に１枚ずつプラテンガラス２０２上へ給送し、原稿の読み取り動作終了後に、プラテンガラス２０２上の原稿を排出する。原稿がプラテンガラス２０２上に搬送されると、ランプ２０３を点灯し、スキャナユニット２０４の移動を開始して、原稿を露光走査する。原稿からの反射光は、ミラー２０５，２０６，２０７、及びレンズ２０８によってＣＣＤイメージセンサ（以下ＣＣＤという）２０９へ導かれる。ＣＣＤ２０９から出力される画像データは、所定の処理が施された後、プリンタ部１０４及び制御部１０９へ転送される。
【００２２】
プリンタ部１０４のレーザドライバ２２１は、レーザ発光部２１０を駆動するもので、リーダ部１０３から出力された画像データに応じたレーザ光を発光させる。レーザ光は感光ドラム２１１に照射される。感光ドラム２１１にはレーザ光に応じた潜像が形成される。感光ドラム２１１の潜像の部分には現像器２１２によって現像剤が付着される。
【００２３】
また、レーザ光の照射開始と同期したタイミングで、カセット２１３及びカセット２１４の何れかから記録紙を給紙して転写部２１５へ搬送し、感光ドラム２１１に付着された現像剤を記録紙に転写する。現像剤の載った記録紙は定着部２１６に搬送され、定着部２１６の熱と圧力によって現像剤が記録紙に定着される。定着部２１６を通過した記録紙は排出ローラ２１７によって排出される。
【００２４】
ソータ２２０は、排出された記録紙をそれぞれのビンに収納して記録紙の仕分けを行い、仕分けされた記録紙のステイプルを行う。ソータ２２０は、仕分けが設定されていない場合、最上ビンに記録紙を収納する。
【００２５】
両面記録が設定されている場合は、排出ローラ２１７のところまで記録紙を搬送した後、排出ローラ２１７の回転方向を逆転させ、フラッパ２１８によって再給紙搬送路２１９へ導く。多重記録が設定されている場合は、記録紙を排出ローラ２１７まで搬送しないようにフラッパ２１８によって再給紙搬送路２１９へ導く。再給紙搬送路２１９へ導かれた記録紙は、上述のタイミングで転写部２１５へ給紙される。
【００２６】
図３は処理モードの設定を行うキー配列を有した操作部１０２を示す図である。
【００２７】
図３において、電源スイッチ３０１は複写機本体１０１の通電を制御する。予熱キー３０２は予熱モードのＯＮ／ＯＦＦに使用する。コピーモードキー３０３は複数の機能の中からコピーモードを選択するときに使用する。
【００２８】
ファックスモードキー３０４は複数の機能の中からファックスモードを選択するときに使用する。パーソナルボックスキー３０５は複数の機能の中からパーソナルボックスモードを選択するときに使用する。
【００２９】
パーソナルボックス機能は、ユーザー個人や部署毎にデジタル複写機１０１内のメモリに記憶領域を持ち、そこにＰＤＬやスキャン画像を入れておき、好きなときに出力する機能である。拡張キー３０６はＰＤＬに対する操作を行うときに使用する。
【００３０】
コピースタートキー３０７は、コピーの開始を指示するときに用いるキーで、指紋検出部１１を備え、コピー開始指示時に同時に指紋画像を検出する。
【００３１】
ストップキー３０８はコピーを中断したり中止したりするときに用いるキーである。リセットキー３０９はスタンバイ中のとき標準モードに復帰させるキーとして動作する。ガイドキー３１０は各機能を知りたいときに使用するキーである。ユーザーモードキー３１１はユーザーがシステムの基本設定を変更するときに使用する。
【００３２】
割り込みキー３１２はコピー中に割り込みしてコピーしたいときに用いる。テンキー３１３は数値の入力を行うときに使用する。クリアキー３１４は数値をクリアするときに用いる。ＩＤキー３１５は複写機を使用する場合にＩＤの入力モードに移行するときに使用する。タッチパネル３１６は、液晶画面とタッチセンサの組合せからなり、各モード毎に個別の設定画面が表示され、描画されたキーに触れることで、各種の詳細な設定を行うことができる。タリーランプ３１７は、ネットワークの通信状態を示し、通常緑色で点灯し、通信しているとき緑色で点滅し、ネットワークエラーの場合に赤色になる。
【００３３】
図４は操作パネル３１６のコピー標準画面を示す図である。
【００３４】
本実施例のデジタル複写機本体１０１は、電源投入時にデフォルトとしてコピー標準画面で起動する。
【００３５】
図４において、メッセージライン４０１はコピージョブの状態をメッセージで表示する。倍率表示４０２は設定された倍率やコピーモードによって自動的に決められる倍率をパーセントで表示する。用紙サイズ表示４０３は、選択された出力用紙を表示し、自動用紙選択が設定されている場合にオート用紙というメッセージを表示する。置数表示４０４はコピー枚数を示す。
【００３６】
縮小キー４０５は縮小コピーを行いたい場合に使用する。等倍キー４０６は縮小や拡大が設定されている場合に等倍に戻したいときに使用する。拡大キー４０７は拡大コピーを行いたい場合に使用する。ズームキー４０８は細かい単位で倍率を設定して縮小コピーや拡大コピーを行いたい場合に使用する。用紙選択キー４０９は出力用紙を指定する場合に使用する。ソータキー４１０はソートやステイプルのモードを設定する場合に使用する。両面キー４１１は両面モードを設定する場合に使用する。
【００３７】
濃度表示部４１２は、現在の濃度が分かるようになっており、左側が濃度が薄く、右側が濃度が濃いことを示す。濃度表示部４１２は、薄くキー４１３、濃くキー４１５と連動して表示が変化する。薄くキー４１３は濃度を薄くしたい場合に使用する。自動キー４１４は自動的に濃度を決定するモードを使用する場合に使用する。濃くキー４１５は濃度を濃くしたい場合に使用する。文字キー４１６は文字原稿をコピーするのに適した濃度に自動的に設定する文字モードを設定する場合に使用する。文字／写真キー４１７は写真が混在した原稿をコピーするのに適した濃度に自動的に設定する文字／写真モードを設定する場合に使用する。
【００３８】
応用モードキー４１８はコピー標準画面で設定できない様々なコピーモードを設定する場合に使用する。後述の画像検索モードは応用モードキー４１８の操作で設定できる。プリント状況キー４１９は現在このデジタル複写機本体１０１で行われているプリントの状況を見たい場合に使用する。プリント状況キー４１９は、コピー標準画面だけではなく、常にこの位置に現れており、いつでもこのキーを押すことによってプリント状況画面が開き、プリント状況を見ることができるようになっている。
【００３９】
次に、本実施形態の指紋検出について説明する。
【００４０】
図５Ａはコピースタートキー３０７と連動する指紋照合装置１のブロック図である。
【００４１】
指紋照合装置１は、指紋検出部１１、画像処理部１２、指紋データメモリ１３０から構成される。指紋検出部１１は、利用者の指から指紋画像を検出する。指紋検出部１１を形成する半導体指紋センサ部１１１は、センサ素子１１０から構成される。画像処理部１２は、アナログ・デジタル変換部１２０、特徴点データ変換部１２１から構成される。アナログ・デジタル変換部１２０は、指紋検出部１１によって検出された利用者の指紋画像をアナログからデジタルに変換する。
【００４２】
図５Ｂは指紋の模様を示す図である。図５Ｃは指紋の特徴点を示す図である。
【００４３】
指紋には、図５Ｂに示すように特徴点と呼ばれる指紋の凸部と凹部による紋様があり、指紋の隆線に現れる端点（隆線が途中で切れている行き止まりの部分）と分岐（隆線が枝分かれしている部分）、三角州（隆線が３方向から集まっている部分）が存在する。特徴点データ変換部１２１は、図５Ｃに示すように、指紋の中心を点として、２０〜４０個所程度の特徴点を抜き出し、方向・座標・種類などを求め、これらの情報を数値化し、データを保存する。指紋データメモリ１３０は、特徴点データ変換部１２１によって数値化された特徴点データを格納するメモリである。
【００４４】
図５Ａに基づいて、指紋照合装置１の動作を説明する。
【００４５】
利用者がコピースタートキー３０７の指紋検出部１１に指を載せると、センサ素子１１０からなる半導体指紋センサ部１１１によって指紋画像が検出される。検出されたアナログの指紋画像は、アナログ・デジタル変換部１２０によってデジタルの指紋データに変換される。デジタルの指紋データは、特徴点データ変換部１２１によって、特徴点データに変換され、指紋データメモリ１３０に格納される。
【００４６】
次に、特定パターンを発生するための特定パターン発生回路６０を説明する。
【００４７】
図６は特定パターンを発生するための特定パターン発生回路６０のブロック図である。
【００４８】
図６において、特定パターン発生回路６０は、レーザドライバ２２１内にあり、特定パターン付加回路６１と接続される。特定パターン付加回路６１は画像データと特定パターン発生回路６０の特定パターンを付加してレーザ発光部２１０に接続される。レーザドライバ２２１は指紋パターン付加回路６２を備える。この３つの回路は制御部１０９内のＣＰＵ（不図示）によって制御される。
【００４９】
図７は特定パターンをレーザで形成した画像形成パターンの一例である。
【００５０】
図７において、枠によって囲まれた領域がレーザ発光部２１０によって画像形成するドット（画素）の１単位であり、ＰＷＭ変調されたレーザ照射により感光ドラム２１１に形成される。図７は特定パターン例の一部であるが、実際は、特定パターンが、図７を含む繰り返しパターンにより構成され、記録紙の縦方向と横方向にそれぞれ繰り返して付加される。
【００５１】
図７の特定パターン発生回路６０の特定パターンは、特定パターン付加回路６１から画像データと共にレーザ発光部２１０に送られ、記録紙に付加される。特定パターンの付加は、視認性の低い指定色（例えばイエロー）でのみ付加するように制御する。この結果、視認上の品質の劣化を低く抑えながら特定パターンを画像に付加することができる。
【００５２】
同じ方法で、制御部１０９からの指示により、指紋パターン付加回路６２が、指紋データメモリ１３０からの指紋データ（不図示）を、レーザ発光部２１０に送り、記録紙に不可視出力で付加する。又、制御部１０９からの別の指示により（後述の画像検索モードに応じて）、指紋パターン付加回路６２が、対応情報データメモリ１０５からの指紋データ（不図示）を、レーザ発光部２１０に送り、記録紙に可視化（例えばモノクロ）出力する。
【００５３】
尚、指紋パターン付加回路６２は、直接レーザ発光部２１０に接続されているが、特定パターン付加回路６１に接続して、画像データと特定パターンと指紋パターンを混在させて、レーザ発光部２１０にデータを供給しても良い。この場合は、前述の同じ動作をさせる為に、制御部１０９からの指示に基づいて、各回路を制御すれば良い。又、制御部１０９からの別の指示により、指紋データを可視化出力する場合も、同じ動作をさせる為に、制御部１０９からの指示に基づいて、各回路を制御すれば良い。
【００５４】
尚、視認性の低い指定色として、イエローで説明をしているが、モノクロのデジタル複写機の場合は、イエローは使用できないので、特定パターンや指紋データを圧縮コードや暗号化コード等にして埋め込んでも良い。
【００５５】
次に、本実施例の動作を図８〜図９に基づいて詳しく説明する。
【００５６】
図８は画像データと指紋データと特定パターンを記録紙に付加するフローチャートである。
【００５７】
図８のフローチャートは、特定原稿と判定され、画像データに不可視の特定パターンと指紋データを付加する場合の動作で、制御部１０９の不図示のＲＯＭに格納されＣＰＵやＲＡＭで処理される。特定原稿の判定は汎用の技術を用いればよいので説明を省略する。
【００５８】
コピー動作を開始する為に、ステップ８００（以下、Ｓ８００とする）では、コピースタートキー３０７が押下されると、指紋照合装置１で指紋に関する処理を行う。指紋処理は、センサ素子１１０が指紋を検出し、特徴点データ変換部１２１が特徴点データに変換して指紋データを作成し、指紋データメモリ１３０に指紋データを格納する。これらの処理と並行して、Ｓ８０１ではリーダ部１０３により画像がスキャンされ、Ｓ８０２では画像データが画像メモリ１０８に格納される。Ｓ８０３では、制御部１０９が画像メモリ１０８に格納された画像データを元に特定原稿か否かを判定する。特定原稿の判定はＳ８０１で画像をスキャンしながら実施しても良い。Ｓ８０３のＹＥＳでは、画像データが特定原稿と判定されると、指紋データメモリ１３０に格納された指紋データがそのまま記憶される。Ｓ８０４では、画像メモリ１０８に格納された画像データと指紋データメモリ１３０のデータを対応させて、対応情報データメモリ１０５に格納する。Ｓ８０５では、制御部１０９が特定パターン付加回路６１、特定パターン発生回路６０、指紋パターン付加回路６２、指紋データメモリ１３０、画像メモリ１０８を制御して、画像データに特定パターンと指紋データを不可視で付加する。Ｓ８０６では不可視の特定パターンと指紋データが画像データに付加されプリント出力される。一方、Ｓ８０３のＮＯ、画像データが特定原稿でないと判定されると、Ｓ８０７では制御部１０９が指紋データメモリ１３０に格納された指紋データをメモリ容量削減のため削除する。Ｓ８０６では画像メモリ１０８から画像データのみをプリント出力する。
【００５９】
次に、特定パターンを基に判別された特定原稿を出力した装置の対応情報データメモリ１０５に格納されたデータを用いて画像検索を行う説明をする。対応情報データメモリ１０５は、特定原稿と判定されると、その画像データと指紋データをセットで記憶するもので、検索効率を上げるために画像メモリ１０８とは別に設けている。画像検索は、応用モードキー４１８から画像検索モード（不図示）を選択することで可能となる。この画像検索モードは、指紋データをプリント出力又は表示する際に可視化出力する。図９は画像検索の詳細なフローチャートである。図１０は画像検索時の操作部１０２の表示を示す。
【００６０】
先ず、Ｓ９０１で検索したい特定原稿をリーダ部１０３でスキャンさせる。Ｓ９０２でスキャンした特定画像に対して、対応情報データメモリ１０５から画像検索を行う。Ｓ９０３で検索結果がＮＯの（対応した画像が検索できなかった）場合は、Ｓ９０５でその旨を操作部１０２に表示する。この時、操作部１０２は、図１０（ａ）の画面を表示させる。その後、Ｓ９０９で処理を終了する。
【００６１】
一方、Ｓ９０３で検索結果がＹＥＳ（対応した画像が検索できた）の場合は、Ｓ９０４でその画像と対応させて格納されている指紋データを呼び出す。この時、操作部１０２に図１０（ｂ）の画面を表示させる。次に、Ｓ９０６で呼び出された指紋データをプリント出力を行うか利用者に判断させる。この時、操作部１０２に図１０（ｃ）の画面を表示させる。Ｓ９０６でＹＥＳが選択される（操作部１０２で「はい」が押下された場合）と、Ｓ９０８で対応情報データメモリ１０５から指紋データを読出し可視化プリント出力を行う。この時、操作部１０２に図１０（ｄ）の画面を表示させる。プリント出力後、Ｓ９０９で処理が終了する。Ｓ９０６でＮＯが選択される（操作部１０２で「いいえ」が押下された場合）と、Ｓ９０７で指紋データを操作部１０２に表示させる。この時、操作部１０２に図１０（ｅ）の画面を表示させる。表示後、Ｓ９０９で処理が終了する。
【００６２】
尚、上述の画像検索は、特定パターンを基に判別された特定原稿を出力した装置の対応情報データメモリ１０５を対象に検索を行ったが、対応情報データメモリ１０５をもつ装置に対して各々検索しても構わない。又、対応情報データメモリ１０５は、特定原稿と判定されると、その画像データと指紋データとをセットで記憶する実施形態で説明したが、これに限らず、指紋データメモリ１３０や対応情報データメモリ１０５を夫々個別に設けずに、画像メモリ１０８のメモリ領域を複数に分割し関連付けして記憶させても良い。即ち、コピースタート毎に画像データと指紋データとをセットで記憶し、その後、特定原稿と判定された画像データと指紋データに対してフラグを立てる。一方、特定原稿と判定されなかった画像データと指紋データに対してはフラグを立てずに、その画像データのみ格納して指紋データを消去するか、又はその画像データと指紋データを格納しても構わない。そして、画像検索時は、このフラグを元に、検索対象を絞り込んで、特定原稿の画像データに対応する指紋データを検索すればよい。この場合の、画像データに不可視の特定パターンと指紋データの付与出力、画像検索時の指紋データの可視化出力は、制御部１０９が画像メモリ１０８、特定パターン付加回路６１、特定パターン発生回路６０、指紋パターン付加回路６２を制御すればよい。
【００６３】
以上の様に、本発明の実施形態によれば、特定原稿と判定され複写される場合、視認性の低い指定色（例えばイエロー）での特定パターンと指紋データを画像データに付加すると共に、指紋データと画像データを対応させて格納することで、その出力画像を基に偽造もしくは著作権違反等の出力画像発生源の追求を容易に行うことが出来る。また、この方法で、使用者の指紋を追跡することで、その行為を行った者を特定できる。
【００６４】
［他の実施形態］
なお、本発明の目的は、前述した実施形態の機能を実現するソフトウェアのプログラムコードを記録した記憶媒体を、画像形成装置の制御部に供給し、その装置のコンピュータ（またはＣＰＵやＭＰＵ）が記憶媒体に格納されたプログラムコードを読出し実行することによっても、達成されることは言うまでもない。プログラムコードの格納は、クライアントコンピュータに限定されるものではなく、例えば、サーバとして機能するコンピュータに記憶されておくことも可能である。
【００６５】
この場合、記憶媒体から読出されたプログラムコード自体が前述した実施形態の機能を実現することになり、そのプログラムコードを記憶した記憶媒体は本発明を構成することになる。
【００６６】
プログラムコードを供給するための記憶媒体としては、例えば、フレキシブルディスク，ハードディスク，光ディスク，光磁気ディスク，ＣＤ−ＲＯＭ，ＣＤ−Ｒ，ＤＶＤ、磁気テープ，不揮発性のメモリカード，ＲＯＭなどを用いることができる。
【００６７】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００６８】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【図面の簡単な説明】
【００６９】
【図１】本発明の実施形態における画像形成装置（デジタル複写機本体）１０１の構成を示すブロック図である。
【図２】本発明の実施形態におけるリーダ部１０３及びプリンタ部１０４からなるデジタル複写機本体１０１の断面図である。
【図３】本発明の実施形態における処理モードの設定を行うキー配列を有した操作部１０２を示す図である。
【図４】本発明の実施形態における操作パネル３１６のコピー標準画面を示す図である。
【図５】本発明の実施形態におけるコピースタートキー３０７と連動する指紋照合装置１のブロック図と指紋の模様と指紋の特徴点を示す図である。
【図６】本発明の実施形態における特定パターンを発生するための特定パターン発生回路６０のブロック図である。
【図７】本発明の実施形態における特定パターンをレーザで形成した画像形成パターンの一例である。
【図８】本発明の実施形態における画像データと指紋データと特定パターンを記録紙に付加するフローチャートである。
【図９】本発明の実施形態における画像検索の詳細なフローチャートである。
【図１０】本発明の実施形態における画像検索時の操作部１０２の表示を示す。
【符号の説明】
【００７０】
１  指紋照合装置
１１  指紋検出部
１２  画像処理部
１０１  デジタル複写機本体
１０２  操作部（設定手段）
１０３  リーダ部（画像入力手段）
１０４  プリンタ部（画像出力手段）
１０５  個人情報データメモリ（画像記憶手段）
１０８  画像メモリ（画像記憶手段）
１１０  センサ素子
１１１  半導体指紋センサ部
１２１  特徴点データ変換手段
１３０  指紋データメモリ
３０７  コピースタートキー
【図１】
2007013300.tif 000003
【図２】
2007013300.tif 000004
【図３】
2007013300.tif 000005
【図４】
2007013300.tif 000006
【図５】
2007013300.tif 000007
【図６】
2007013300.tif 000008
【図７】
2007013300.tif 000009
【図８】
2007013300.tif 000010
【図９】
2007013300.tif 000011
【図１０】
2007013300.tif 000012